【手続補正書】
【提出日】平成26年2月5日(2014.2.5)
【手続補正１】
【補正対象書類名】明細書
【補正対象項目名】００２６
【補正方法】変更
【補正の内容】
【００２６】
実施形態のパワーロードアンバランス検出装置は、蒸気タービンで駆動される発電機の電圧を表す三相電圧のうちの第１相の電圧を表す第１相電圧の値を、前記発電機の電流を表す三相電流のうちの第１相の電流を表す第１相電流の値で除算した第１相のインピーダンスを算出し、前記第１相のインピーダンスの値が前記基準値としてインピーダンス基準値以下である場合に出力信号を出力する第１相インピーダンスレベル判定器と、前記三相電圧のうちの第２相の電圧を表す第２相電圧の値を前記三相電流のうちの第２相の電流を表す第２相電流の値で除算した第２相のインピーダンスを算出し、前記第２相のインピーダンスの値が前記インピーダンス基準値以下である場合に出力信号を出力する第２相インピーダンスレベル判定器と、前記三相電圧のうちの第３相の電圧を表す第３相電圧の値を前記三相電流のうちの第３相の電流を表す第３相電流の値で除算した第３相のインピーダンスを算出し、前記第３相のインピーダンスの値が前記インピーダンス基準値以下である場合に出力信号を出力する第３相インピーダンスレベル判定器と、前記第１相インピーダンスレベル判定器、前記第２相インピーダンスレベル判定器および前記第３相インピーダンスレベル判定器のうちの全ての判定器から出力信号を受け取った場合、送電系統の事故である複数種類の系統事故のうちの重大な系統事故が発生したことを表す系統事故検出信号を出力する系統事故検出器と、を具備することを特徴とする。
【手続補正２】
【補正対象書類名】明細書
【補正対象項目名】００２８
【補正方法】変更
【補正の内容】
【００２８】
実施形態のパワーロードアンバランス検出方法は、蒸気タービンで駆動される発電機の電圧を表す三相電圧のうちの第１相の電圧を表す第１相電圧の値を、前記発電機の電流を表す三相電流のうちの第１相の電流を表す第１相電流の値で除算した第１相のインピーダンスを算出し、前記第１相のインピーダンスの値が前記基準値としてインピーダンス基準値以下である場合に第１出力信号を出力する工程と、前記三相電圧のうちの第２相の電圧を表す第２相電圧の値を前記三相電流のうちの第２相の電流を表す第２相電流の値で除算した第２相のインピーダンスを算出し、前記第２相のインピーダンスの値が前記インピーダンス基準値以下である場合に第２出力信号を出力する工程と、前記三相電圧のうちの第３相の電圧を表す第３相電圧の値を前記三相電流のうちの第３相の電流を表す第３相電流の値で除算した第３相のインピーダンスを算出し、前記第３相のインピーダンスの値が前記インピーダンス基準値以下である場合に第３出力信号を出力する工程と、前記第１出力信号、前記第２出力信号および前記第３出力信号のうちの全ての出力信号を受け取った場合、送電系統の事故である複数種類の系統事故のうちの重大な系統事故が発生したことを表す系統事故検出信号を出力する工程と、を具備することを特徴とする。
【手続補正３】
【補正対象書類名】特許請求の範囲
【補正対象項目名】全文
【補正方法】変更
【補正の内容】
【特許請求の範囲】
【請求項１】
蒸気タービンで駆動される発電機の出力端または前記発電機の出力端に接続された送電系統の電圧を表す三相電圧のうちの第１相の電圧の値が基準値以下である場合に出力信号を出力する第１相電圧レベル判定器と、
前記三相電圧のうちの第２相の電圧の値が前記基準値以下である場合に出力信号を出力する第２相電圧レベル判定器と、
前記三相電圧のうちの第３相の電圧の値が前記基準値以下である場合に出力信号を出力する第３相電圧レベル判定器と、
前記第１相電圧レベル判定器、前記第２相電圧レベル判定器および前記第３相電圧レベル判定器のうちの全ての判定器から出力信号を受け取った場合、前記送電系統の事故である複数種類の系統事故のうちの重大な系統事故が発生したことを表す系統事故検出信号を出力する系統事故検出器と、
前記発電機の出力端の電流を表す発電機端電流の値に設定値以上の変化がある場合に変化率検出信号を出力する変化率検出器と、
前記系統事故検出信号または前記変化率検出信号に基づいて、前記蒸気タービンの上流に設けられた弁を閉じるための流入蒸気量低減信号を前記弁に出力する論理回路と、
を具備することを特徴とするパワーロードアンバランス検出装置。
【請求項２】
前記三相電圧は、前記送電系統の電圧を表す送電系統電圧であり、
前記第１相電圧レベル判定器は、前記送電系統電圧のうちの第１相の電圧を表す第１相送電系統電圧の値が前記基準値として送電系統電圧基準値以下である場合に出力信号を出力し、
前記第２相電圧レベル判定器は、前記送電系統電圧のうちの第２相の電圧を表す第２相送電系統電圧の値が前記送電系統電圧基準値以下である場合に出力信号を出力し、
前記第３相電圧レベル判定器は、前記送電系統電圧のうちの第３相の電圧を表す第３相送電系統電圧の値が前記送電系統電圧基準値以下である場合に出力信号を出力する、
ことを特徴とする請求項１に記載のパワーロードアンバランス検出装置。
【請求項３】
前記送電系統電圧基準値は、健全時の各相の送電系統電圧の値から、許容電圧振動値以上の値を減算した値である、
ことを特徴とする請求項２に記載のパワーロードアンバランス検出装置。
【請求項４】
前記三相電圧は、前記発電機の出力端の電圧を表す発電機端電圧であり、
前記第１相電圧レベル判定器は、前記発電機端電圧のうちの第１相の電圧を表す第１相発電機端電圧の値が前記基準値として発電機端電圧基準値以下である場合に出力信号を出力し、
前記第２相電圧レベル判定器は、前記発電機端電圧のうちの第２相の電圧を表す第２相発電機端電圧の値が前記発電機端電圧基準値以下である場合に出力信号を出力し、
前記第３相電圧レベル判定器は、前記発電機端電圧のうちの第３相の電圧を表す第３相発電機端電圧の値が前記発電機端電圧基準値以下である場合に出力信号を出力する、
ことを特徴とする請求項１に記載のパワーロードアンバランス検出装置。
【請求項５】
蒸気タービンで駆動される発電機の電圧を表す三相電圧のうちの第１相の電圧を表す第１相電圧の値を、前記発電機の電流を表す三相電流のうちの第１相の電流を表す第１相電流の値で除算した第１相のインピーダンスを算出し、前記第１相のインピーダンスの値が前記基準値としてインピーダンス基準値以下である場合に出力信号を出力する第１相インピーダンスレベル判定器と、
前記三相電圧のうちの第２相の電圧を表す第２相電圧の値を前記三相電流のうちの第２相の電流を表す第２相電流の値で除算した第２相のインピーダンスを算出し、前記第２相のインピーダンスの値が前記インピーダンス基準値以下である場合に出力信号を出力する第２相インピーダンスレベル判定器と、
前記三相電圧のうちの第３相の電圧を表す第３相電圧の値を前記三相電流のうちの第３相の電流を表す第３相電流の値で除算した第３相のインピーダンスを算出し、前記第３相のインピーダンスの値が前記インピーダンス基準値以下である場合に出力信号を出力する第３相インピーダンスレベル判定器と、
前記第１相インピーダンスレベル判定器、前記第２相インピーダンスレベル判定器および前記第３相インピーダンスレベル判定器のうちの全ての判定器から出力信号を受け取った場合、送電系統の事故である複数種類の系統事故のうちの重大な系統事故が発生したことを表す系統事故検出信号を出力する系統事故検出器と、
を具備することを特徴とするパワーロードアンバランス検出装置。
【請求項６】
前記発電機の電流の値に設定値以上の変化がある場合に変化率検出信号を出力する変化率検出器と、
前記系統事故検出信号または前記変化率検出信号に基づいて、前記蒸気タービンの上流に設けられた弁を閉じるための流入蒸気量低減信号を前記弁に出力する論理回路と、
をさらに具備することを特徴とする請求項５に記載のパワーロードアンバランス検出装置。
【請求項７】
設定時間を経過するまで前記論理回路から前記流入蒸気量低減信号を入力し続けた場合にのみ前記流入蒸気量低減信号を前記弁に出力するオンディレータイマー回路、
をさらに具備することを特徴とする請求項１ないし請求項４または請求項６のいずれか一項に記載のパワーロードアンバランス検出装置。
【請求項８】
前記発電機端電流の値と前記蒸気タービンの出力の値との偏差を算出する差分器と、
前記差分器により算出された偏差を表す値が設定偏差値以上である場合に偏差判定信号を出力する偏差信号判定器と、
をさらに具備し、
前記論理回路は、前記系統事故検出信号と前記偏差判定信号とに基づいて、信号出力を行うこと、を特徴とする請求項１ないし請求項４または請求項６または請求項７のいずれか一項に記載のパワーロードアンバランス検出装置。
【請求項９】
蒸気タービンで駆動される発電機の出力端または前記発電機の出力端に接続された送電系統の電圧を表す三相電圧のうちの第１相の電圧の値が基準値以下である場合に第１出力信号を出力する工程と、
前記三相電圧のうちの第２相の電圧の値が前記基準値以下である場合に第２出力信号を出力する工程と、
前記三相電圧のうちの第３相の電圧の値が前記基準値以下である場合に第３出力信号を出力する工程と、
前記第１出力信号、前記第２出力信号および前記第３出力信号のうちの全ての出力信号を受け取った場合、前記送電系統の事故である複数種類の系統事故のうちの重大な系統事故が発生したことを表す系統事故検出信号を出力する工程と、
前記発電機の出力端の電流を表す発電機端電流の値に設定値以上の変化がある場合に変化率検出信号を出力する工程と、
前記系統事故検出信号または前記変化率検出信号に基づいて、前記蒸気タービンの上流に設けられた弁を閉じるための流入蒸気量低減信号を前記弁に出力する工程と、
を具備することを特徴とするパワーロードアンバランス検出方法。
【請求項１０】
蒸気タービンで駆動される発電機の電圧を表す三相電圧のうちの第１相の電圧を表す第１相電圧の値を、前記発電機の電流を表す三相電流のうちの第１相の電流を表す第１相電流の値で除算した第１相のインピーダンスを算出し、前記第１相のインピーダンスの値が前記基準値としてインピーダンス基準値以下である場合に第１出力信号を出力する工程と、
前記三相電圧のうちの第２相の電圧を表す第２相電圧の値を前記三相電流のうちの第２相の電流を表す第２相電流の値で除算した第２相のインピーダンスを算出し、前記第２相のインピーダンスの値が前記インピーダンス基準値以下である場合に第２出力信号を出力する工程と、
前記三相電圧のうちの第３相の電圧を表す第３相電圧の値を前記三相電流のうちの第３相の電流を表す第３相電流の値で除算した第３相のインピーダンスを算出し、前記第３相のインピーダンスの値が前記インピーダンス基準値以下である場合に第３出力信号を出力する工程と、
前記第１出力信号、前記第２出力信号および前記第３出力信号のうちの全ての出力信号を受け取った場合、送電系統の事故である複数種類の系統事故のうちの重大な系統事故が発生したことを表す系統事故検出信号を出力する工程と、
を具備することを特徴とするパワーロードアンバランス検出方法。